(57)【特許請求の範囲】
【請求項１】
注射針とシリンダーを備え、前記注射針を前記シリンダーに連結するためのコネクターを備え、前記シリンダーから前記注射針に至る注射流路が形成された注射器において、
前記注射流路の前記注射針を収容して選択的に前記注射流路を開閉させる着脱式の開閉手段と、
前記注射針、前記コネクター、及び前記シリンダーのいずれか一つの内外を連通させる貫通孔、前記貫通孔の開閉を断続する切り換え弁手段を有し、尖端を有する中空のキャップから前記シリンダーに至る吸引流路と、をさらに含み、
前記開閉手段は、前記注射針のハブを取り囲んで結合できるように下部に気密空間が形成され、前記気密空間の内に前記注射針の針とハブを互いに固定させる接着材料が収容されることにより、前記接着材料が薬液から隔離され、
前記開閉手段は前記キャップの内部に固設され、前記開閉手段の外周と前記キャップの内周との間の空間に吸引流路の一部が形成され、前記キャップの分離により、開閉手段を一緒に分離させ、
前記切り換え弁手段は、前記キャップの結合により開放され、前記キャップの分離により閉鎖され、
前記切り換え弁手段は、前記貫通孔を取り囲んで弾性的に密閉させる円形断面の弾性バンドと、前記キャップの内周面に形成され、前記キャップの軸方向移動により前記弾性バンドと接触し、前記弾性バンドを移動させる係止段と、前記弾性バンドが前記貫通孔を密閉させる位置に弾性復帰させる凹溝と、からなる
ことを特徴とする注射器。
【請求項２】
注射針とシリンダーを備え、前記注射針を前記シリンダーに連結するためのコネクターを備え、前記シリンダーから前記注射針に至る注射流路が形成された注射器において、
前記注射流路の前記注射針を収容して選択的に前記注射流路を開閉させる着脱式の開閉手段と、
前記注射針、前記コネクター、及び前記シリンダーのいずれか一つの内外を連通させる貫通孔、前記貫通孔の開閉を断続する切り換え弁手段を有し、尖端を有する中空のキャップから前記シリンダーに至る吸引流路と、をさらに含み、
前記開閉手段は、前記注射針のハブを取り囲んで結合できるように下部に気密空間が形成され、前記気密空間の内に前記注射針の針とハブを互いに固定させる接着材料が収容されることにより、前記接着材料が薬液から隔離され、
前記開閉手段は前記キャップの内部に固設され、前記開閉手段の外周と前記キャップの内周との間の空間に吸引流路の一部が形成され、前記キャップの分離により、開閉手段を一緒に分離させ、
前記切り換え弁手段は、注射器の内部を基準として負圧の作用により開放され、正圧の作用により閉鎖される
ことを特徴とする注射器。
【請求項３】
前記切り換え弁手段は、前記貫通孔を選択的に開閉させる弾性フラップを有する逆止め弁（チエッキ弁）であることを特徴とする請求項２に記載の注射器。
【請求項４】
前記切り換え弁手段は、前記貫通孔を選択的に開閉させる球を有する逆止め弁であることを特徴とする請求項２に記載の注射器。
【請求項５】
注射針とシリンダーを備え、前記注射針を前記シリンダーに連結するためのコネクターを備え、前記シリンダーから前記注射針に至る注射流路が形成された注射器において、
前記注射流路の前記注射針を収容して選択的に前記注射流路を開閉させる着脱式の開閉手段と、
前記注射針、前記コネクター、及び前記シリンダーのいずれか一つの内外を連通させる貫通孔、前記貫通孔の開閉を断続する切り換え弁手段を有し、尖端を有する中空のキャップから前記シリンダーに至る吸引流路と、をさらに含み、
前記開閉手段は、前記注射針のハブを取り囲んで結合できるように下部に気密空間が形成され、前記気密空間の内に前記注射針の針とハブを互いに固定させる接着材料が収容されることにより、前記接着材料が薬液から隔離され、
前記開閉手段は前記キャップの内部に固設され、前記開閉手段の外周と前記キャップの内周との間の空間に吸引流路の一部が形成され、前記キャップの分離により、開閉手段を一緒に分離させ、
前記切り換え弁手段は、回転操作により流路の整列の有無が変更されて開閉される
ことを特徴とする注射器。
【請求項６】
注射針とシリンダーを備え、前記注射針を前記シリンダーに連結するためのコネクターを備え、前記シリンダーから前記注射針に至る注射流路が形成された注射器において、
前記注射流路の前記注射針を収容して選択的に前記注射流路を開閉させる着脱式の開閉手段と、
前記注射針、前記コネクター、及び前記シリンダーのいずれか一つの内外を連通させる貫通孔、前記貫通孔の開閉を断続する切り換え弁手段を有し、尖端を有する中空のキャップから前記シリンダーに至る吸引流路と、をさらに含み、
前記開閉手段は、前記注射針のハブを取り囲んで結合できるように下部に気密空間が形成され、前記気密空間の内に前記注射針の針とハブを互いに固定させる接着材料が収容されることにより、前記接着材料が薬液から隔離され、
前記開閉手段は前記キャップの内部に固設され、前記開閉手段の外周と前記キャップの内周との間の空間に吸引流路の一部が形成され、前記キャップの分離により、開閉手段を一緒に分離させ、
前記切り換え弁手段は、前記貫通孔に気密を維持して固定される弾性気密材と、前記弾性気密材を貫通する貫通針と、からなり、前記弾性気密材への前記貫通針の挿入操作により開放され、分離操作により閉鎖される
ことを特徴とする注射器。 
【発明の詳細な説明】
【技術分野】
【０００１】
本発明は、注射器に関し、特に、従来、注射針を含む注射流路が形成された注射器において、注射針を除いた注射流路の一部を共有し、または注射流路とは完全に独立した吸引流路を形成し、薬液の吸引をさらに円滑にするための装置であって、既存の注射器に注射針を経由しない別途の吸引流路を形成し、薬液の吸引をさらに円滑に行うことにより、ユーザの使い勝手及び製品の商品性を極大化させることができる装置に関する。
【背景技術】
【０００２】
一般に、注射器は、動植物の体内に薬液を注射する器具であり、鋭い先端で皮膚を刺し、任意の組職内に薬液を注射するようになっている。
【０００３】
図１は、一般の注射器を示す分解斜視図であり、このような注射器は、図１に示すように、注射針１０が結合され、注射液が収容されるシリンダー２０と、前記シリンダー２０内において前進及び後退可能に設けられるプランジャー３０と、で構成される。
【０００４】
この種の注射器は、プランジャー３０の後退により、シリンダー２０内に負圧が発生しながら薬液が充填され、プランジャー３０の前進により、正圧となり、シリンダー２０内の薬液が注射針１０から排出されながら患者の体内に注射されるものである。
【０００５】
しかしながら、この種の注射器の使用時は、注射針１０の直径が極めて細いと、ユーザが薬液の吸引のためにプランジャー３０を後退させても、シリンダー２０の内部は、負圧により真空状態となるだけで、薬液の吸引が円滑ではなかった。
【０００６】
これにより、薬液の吸引に長時間が要求されるので、ユーザに不便を与え、しかも、薬液の吸引が完了していないうちに、ユーザがプランジャー３０を解放すると、薬液がシリンダー２０内に吸引されなかった状態で、かえってプランジャー３０が自ら前進してしまうという問題点があった。
【０００７】
また、本出願人による特許文献１では、このような問題点を改善しているが、吸引時に薬液がろ過手段を通過するように構成されているので、ろ過手段のために吸引が円滑でないということが指摘されていた。
【先行技術文献】
【特許文献】
【０００８】
【特許文献１】韓国登録特許第１０−１５６３７２３号公報
【発明の概要】
【発明が解決しようとする課題】
【０００９】
本発明は、前記問題点に鑑みなされたものであり、その目的は、既存の注射器に注射針を経由しない別途の吸引流路を形成し、薬液の吸引をさらに円滑に行うことにより、ユーザの使い勝手及び製品の商品性を極大化させることができる注射器を提供することにある。
【課題を解決するための手段】
【００１０】
前記目的を達成するために、本発明では、注射針とシリンダーを備え、前記シリンダーから前記注射針に至る注射流路が形成された注射器において、前記注射流路を選択的に密閉させる開閉手段と、前記注射針、前記注射針を前記シリンダーに連結するためのコネクター、前記シリンダーのいずれか一つの内外を連通させる貫通孔、前記貫通孔の開閉を断続する一方向弁手段を有し、尖端を有する中空のキャップから前記シリンダーに至る吸引流路とをさらに含むことを特徴とする。
【００１１】
ここで、前記一方向弁手段は、前記キャップの結合により開放され、前記キャップの分離により閉鎖されることがよく、より詳しくは、前記貫通孔を取り囲んで弾性的に密閉させる円形断面の弾性バンドと、前記キャップの内周面に形成され、前記キャップの軸方向移動により前記弾性バンドと接触し、前記弾性バンドを移動させる係止段と、前記弾性バンドが前記貫通孔を密閉させる位置に弾性復帰させる凹溝と、からなることが好ましい。
【００１２】
これと同様に、前記一方向弁手段は、注射器の内部を基準として負圧の作用により開放され、正圧の作用により閉鎖されることも可能であり、より詳しくは、前記貫通孔を選択的に開閉させる弾性フラップを有する周知の逆止め弁（チエッキ弁）であり、或いは、前記貫通孔を選択的に開閉させる球を有する周知の逆止め弁であることが好ましい。
【００１３】
これとは異なり、前記一方向弁手段は、回転操作により流路の整列の有無が変更されて開閉されてもよい。
【００１４】
また、前記一方向弁手段は、前記貫通孔に気密を維持して固定される弾性気密材と、前記弾性気密材を貫通する貫通針と、からなり、前記弾性気密材への前記貫通針の挿入操作により開放され、分離操作により閉鎖されることも可能である。
【００１５】
さらに、上述した前記キャップは、前記開閉手段を収容し、前記開閉手段の外周と前記キャップの内周との間の空間に吸引流路の一部が形成され、前記注射針の針とハブを互いに固定させる接着材料は、前記開閉手段内に収容され、薬液から隔離されることが最も好ましい。
【発明の効果】
【００１６】
本発明によれば、既存の注射器に注射針を経由しない別途の吸引流路を形成し、薬液の吸引をさらに円滑に行うことにより、ユーザの使い勝手及び製品の商品性を極大化させることができる。
【図面の簡単な説明】
【００１７】
【図１】一般の注射器を示す分解斜視図である。
【図２】本発明に係る注射器の実施例１における一方向弁手段の開放状態を示す断面図である。
【図３】本発明に係る注射器の実施例１における一方向弁手段の閉鎖状態を示す断面図である。
【図４】本発明に係る注射器の実施例１における開閉手段を示す斜視図である。
【図５】本発明に係る注射器の実施例１における他の例の一方向弁手段の開放状態を示す断面図である。
【図６】本発明に係る注射器の実施例１における他の例の一方向弁手段の閉鎖状態を示す断面図である。
【図７】本発明に係る注射器の実施例１における２つの一方向弁手段が適用された例を示す図である。
【図８】本発明に係る注射器の実施例１における他の例の一方向弁手段の開放状態を示す断面図である。
【図９】本発明に係る注射器の実施例１における他の例の一方向弁手段の閉鎖状態を示す断面図である。
【図１０】本発明に係る注射器の実施例１における一方向弁手段が外部に設けられた状態を示す断面図である。
【図１１】本発明に係る注射器の実施例１におけるまた他の例の一方向弁手段を示す斜視図である。
【図１２】本発明に係る注射器の実施例１における一方向弁手段が外部に設けられ、コネクターが適用された状態を示す断面図である。
【図１３】本発明に係る注射器の実施例２における一方向弁手段が外部に設けられた状態を示す断面図である。
【図１４】本発明に係る注射器の実施例２における一方向弁手段が外部に設けられ、コネクターが適用された状態を示す断面図である。
【図１５】本発明に係る注射器の実施例３における他の例の一方向弁手段を示す断面図である。
【図１６】本発明に係る注射器の実施例４における一方向弁手段が内部に設けられた状態を示す断面図である。
【発明を実施するための形態】
【００１８】
図２は、本発明に係る注射器の実施例１における一方向弁手段の開放状態を示す断面図であり、図３は、本発明に係る注射器の実施例１における一方向弁手段の閉鎖状態を示す断面図であり、図４は、本発明に係る注射器の実施例１における開閉手段を示す斜視図である。
【００１９】
また、図５は、本発明に係る注射器の実施例１における他の例の一方向弁手段の開放状態を示す断面図であり、図６は、本発明に係る注射器の実施例１における他の例の一方向弁手段の閉鎖状態を示す断面図であり、図７は、本発明に係る注射器の実施例１における２つの一方向弁手段が適用された例を示す図であって、（ａ）は正面図であり、（ｂ）は断面図である。
【００２０】
また、図８は、本発明に係る注射器の実施例１における他の例の一方向弁手段の開放状態を示す断面図であり、図９は、本発明に係る注射器の実施例１における他の例の一方向弁手段の閉鎖状態を示す断面図である。
【００２１】
また、図１０は、本発明に係る注射器の実施例１における一方向弁手段が外部に設けられた状態を示す断面図であり、図１１は、本発明に係る注射器の実施例１におけるまた他の例の一方向弁手段を示す斜視図であり、図１２は、本発明に係る注射器の実施例１における一方向弁手段が外部に設けられ、コネクターが適用された状態を示す断面図である。
【００２２】
図１３は、本発明に係る注射器の実施例２における一方向弁手段が外部に設けられた状態を示す断面図であり、図１４は、本発明に係る注射器の実施例２における一方向弁手段が外部に設けられ、コネクターが適用された状態を示す断面図である。
【００２３】
最後に、図１５は、本発明に係る注射器の実施例３における他の例の一方向弁手段を示す断面図であり、図１６は、本発明に係る注射器の実施例４における一方向弁手段が内部に設けられた状態を示す断面図である。
【００２４】
以下、添付図面を参照して、本発明の実施例について説明する。
【００２５】
本発明に係る注射器は、図２乃至図１６に示すように、既存の注射器に注射針を経由しない別途の吸引流路を形成し、薬液の吸引をさらに小さな力で円滑に行うことにより、ユーザの使い勝手及び製品の商品性を極大化させることを、その技術上の基本特徴とする。
【００２６】
本発明に係る注射器は、注射針１０とシリンダー２０を備え、前記シリンダー２０から前記注射針１０に至る注射流路が形成された注射器において、前記注射流路を選択的に密閉させる開閉手段４００と、前記注射針１０、前記注射針１０を前記シリンダー２０に連結するためのコネクター５００、前記シリンダー２０のいずれか一つの内外を連通させる貫通孔、前記貫通孔の開閉を断続する一方向弁手段３００を有し、尖端を有する中空のキャップ１００から前記シリンダー２０に至る吸引流路とをさらに含むことを特徴とする。
【００２７】
すなわち、本発明は、細い注射針１０からのみ薬液がシリンダー２０に吸引されることにより、薬液を吸引するのに長時間が要求され、または大きな力が要求されることを改善したものであって、薬液の吸引時、一時的に注射針１０を閉鎖させる開閉手段４００をさらに構成するとともに、注射流路上の注射針１０を経由せず、薬液を吸引することができる吸引流路を形成することにより、薬液の吸引を一層速くて且つさらに小さな力で容易に行うことができる。
【００２８】
このため、本発明においては、薬液の吸引時、吸引流路上に設けられた貫通孔が一方向弁手段３００により開放され、薬液が注射針１０を経ずに注射器のシリンダー２０の内部に容易に吸引され、その間、開閉手段４００が注射針１０を閉鎖している。
【００２９】
反対に、薬液の注射時は、一方向弁手段３００により貫通孔が閉鎖され、吸引流路は遮断されるのに対して、ユーザが開閉手段４００を除去することにより、注射針１０が開放されながら薬液の注射が行われる。
【００３０】
このとき、前記一方向弁手段３００は、実施形態によって、単にキャップ１００が分離されたか否かにより開閉が調節されてもよく、シリンダー２０に加わる圧力の方向により自然に開閉が調節されてもよいのみならず、ユーザの回転操作により開閉が調節されてもよく、軟性の弾性気密材３５０を貫通する尖端の貫通針３５１であってもよい。
【００３１】
上述のような本発明に係る注射器を具現するのには、吸引流路の入口と注射流路の出口が同軸上に位置するか否かと、注射器のシリンダー２０において吸引流路の出口と注射流路の入口を共有するか否かとの組合せにより、下記の４つの例が挙げられ、以下、これらを実施例１乃至実施例４に分けて説明する。
【００３２】
実施例１：吸引流路の入口と注射流路の出口が同軸上に位置し、吸引流路の出口と注射流路の入口を共有する例
実施例２：吸引流路の入口と注射流路の出口が同軸上に位置せず、吸引流路の出口と注射流路の入口を共有する例
実施例３：吸引流路の入口と注射流路の出口が同軸上に位置し、吸引流路の出口と注射流路の入口を共有しない例
実施例４：吸引流路の入口と注射流路の出口が同軸上に位置せず、吸引流路の出口と注射流路の入口を共有しない例
【実施例１】
【００３３】
実施例１は、吸引流路の入口と注射流路の出口が同軸上に位置し、吸引流路の出口と注射流路の入口を共有する例である。
【００３４】
本発明に係る注射器の実施例１では、一方向弁手段３００を内装している例と、一方向弁手段３００を外装している例とにさらに分けられる。
【００３５】
先ず、図２乃至図９に、本発明に係る注射器の実施例１において、貫通孔及び一方向弁手段３００を内装している例が示されている。
【００３６】
特に、図２乃至図４に、本発明に係る注射器の実施例１において、前記一方向弁手段３００は、前記キャップ１００の結合により貫通孔を開放させ、前記キャップ１００の分離により貫通孔を閉鎖させる例が示されている。
【００３７】
これは、注射針１０の直径よりも大きな直径からなる中空のキャップ１００を注射針１０の軸方向へ結合または分離させることにより、一方向弁手段３００が開閉されるものであって、多様な形態で具現が可能である。
【００３８】
特に、本発明において、前記一方向弁手段３００は、図２に示すように、貫通孔３１１を取り囲んで弾性的に密閉させる円形断面の弾性バンド３１０と、前記キャップ１００の内周面に形成され、前記キャップ１００の軸方向の移動により、前記弾性バンド３１０と接触して、前記弾性バンド３１０を移動させる係止段１２２と、前記弾性バンド３１０が前記貫通孔を密閉させる位置に弾性復帰させる凹溝３１２と、からなることが好ましい。
【００３９】
このとき、吸引流路は、キャップ１００の吸引針１１０→キャップ１００のキャップハブ１２０→一方向弁手段３００→注射針１０のハブ１２→シリンダー２０からなる。
【００４０】
このとき、キャップ１００は、薬液溶器から薬液を吸引するためのものであって、吸引針１１０及びキャップハブ１２０で構成され、前記吸引針１１０の先端は、バイアル等を突き通すように傾斜して尖端を有し、金属材または合成樹脂材からなり、高い剛性を有する。
【００４１】
また、キャップハブ１２０は、このような吸引針１１０を支持するように一体で結合されたものであって、キャップハブ１２０の内周面は、注射針１０の針１１を支持するハブ１２の外周面と結合する。
【００４２】
ここで、前記注射針１０の針１１とハブ１２は、エポキシのような接着材料１３で互いに固定されており、このとき、前記ハブ１２が注射器のシリンダー２０に気密を維持して組み立てられる。
【００４３】
これとともに、前記注射針１０の針１１は、薬液の吸引時、開閉手段４００により閉鎖されていたが、薬液の注射時は、前記開閉手段４００を分離させて針１１を開放させるようになる。
【００４４】
特に、本発明において、前記開閉手段４００が、図４に示すように、気密空間４１０及びフランジ４２０を有してもよい。
【００４５】
すなわち、前記開閉手段４００は、薬液の吸引時、注射針１０の針１１を閉鎖させ、薬液の注射時、注射針１０の針１１を開放させる機能をするものであって、本発明では、前記開閉手段４００が前記注射針１０のハブ１２に結合可能であることが好ましい。
【００４６】
このため、前記開閉手段４００の下部には、気密空間４１０が形成され、この気密空間４１０が前記注射針１０のハブ１２を取り囲んで結合することになる。
【００４７】
特に、本発明では、前記注射針１０の針１１とハブ１２を互いに固定させる接着材料１３は、注射針１０を取り囲んで気密を維持する開閉手段４００の気密空間４１０内に収容され、薬液から隔離されることが好ましい。
【００４８】
これにより、接着材料１３が薬液と接触して、接着材料１３の接着力を低下させ、または接着材料１３により薬液の成分が変質することが防がれる。
【００４９】
これとともに、前記開閉手段４００に設けられるフランジ４２０は、必要に応じて、前記開閉手段４００をキャップハブ１２０の内周面に固定させることを可能にする。
【００５０】
図３には、前記開閉手段４００がキャップ１００の内部に固設され、前記キャップ１００の分離により、開閉手段４００を一緒に分離させることにより、注射針１０を開放させる例が示されている。
【００５１】
このとき、注射針１０のハブ１２には、図２及び図３に示すように、内周面から外周面に至る貫通孔３１１が形成され、ハブ１２の外周面には、前記貫通孔３１１の周辺を一周して凹溝３１２が形成される。
【００５２】
前記貫通孔３１１の直径及び個数は、薬液が円滑に流通するとともに、気密が行われるように適宜変更されてもよく、前記凹溝３１２は緩慢な曲面に形成され、この凹溝３１２内に略円形断面を有するゴム等の弾性材質の弾性バンド３１０が位置する。
【００５３】
このような弾性バンド３１０は、前記凹溝３１２内に弾性的に配置され、キャップ１００のキャップハブ１２０との接触の有無により、その位置が移動することになる。
【００５４】
このため、前記キャップハブ１２０の内周面には、前記弾性バンド３１０との接触のための係止段１２２が形成されている。
【００５５】
これにより、前記キャップ１００が注射針１０に組み立てられた状態では、図２に示すように、係止段１２２に弾性バンド３１０が接触しながら、前記弾性バンド３１０が図面において下方へ移動することにより、貫通孔３１１が開放される。
【００５６】
これに対して、前記キャップ１００が注射針１０から分離された状態では、図３に示すように、弾性バンド３１０が最小の直径に収縮しながら曲面を伝わって元の位置に戻り、貫通孔３１１を閉鎖させる。
【００５７】
その結果、ユーザは、キャップ１００が組み立てられているか否かにより、一方向弁手段３００によって貫通孔３１１の開閉を断続することができる。
【００５８】
これにより、薬液を体内に注射しようとするときは、単にキャップ１００を分離させるだけで、注射流路は、図３に示すように、シリンダー２０→注射針１０のハブ１２→注射針１０の針１１からなる。
【００５９】
このとき、開閉手段４００がキャップ１００の内部に固設され、前記キャップ１００の分離により開閉手段４００が一緒に分離され、注射針１０を開放させる。
【００６０】
これにより、薬液の吸引時、薬液は、キャップ１００から一方向弁手段３００を経てシリンダーに吸引され、薬液の注射時、薬液はシリンダー２０から開放された注射針１０を通じて注射される。
【００６１】
その結果、必要に応じて、迅速に薬液を吸引してから迅速に排出させることができる。
【００６２】
上記では、貫通孔３１１が注射針１０のハブに形成されたものを例示し、弾性バンド３１０を移動させるために、その外部に結合するキャップ１００として説明しているが、前記貫通孔３１１の位置を変更することもできる。
【００６３】
例えば、注射針１０をシリンダー２０に連結するための別途のコネクター５００に貫通孔を形成した後、このコネクター５００にキャップ１００を結合させてもよく、注射器のシリンダー２０に直接貫通孔を形成し、このシリンダー２０にキャップ１００を結合させてもよい。
【００６４】
すなわち、本発明において、貫通孔及び一方向弁手段３００の位置は限定されない。
【００６５】
次に、注射器の内部を基準として負圧の作用により開放され、正圧の作用により閉鎖される一方向弁手段３００が適用されたものであって、これは、ユーザの別途の操作無しに、単に注射器の内部に加わる圧力の作用方向により自然に開閉が行われるものであり、多様な形態で具現が可能である。
【００６６】
特に、本発明において、前記一方向弁手段３００は、図５及び図６に示すように、貫通孔３１１を選択的に開閉させる弾性フラップ３２０を有する周知の逆止め弁であることが好ましい。
【００６７】
また、上述したキャップ１００が結合されたか否かにより開閉される一方向弁手段３００が適用された実施例と重複する構成については、その説明を省略し、一方向弁手段３００の異なる作用についてのみ説明する。
【００６８】
このとき、別途の弾性材質のシーリングのような気密手段６００を、キャップハブ１２０の内周面とハブ１２の外周面との間に付加し、その間への薬液の流出を予防することもできる。
【００６９】
このときも、吸引流路は、キャップ１００の吸引針１１０→キャップ１００のキャップハブ１２０→一方向弁手段３００→注射針１０のハブ１２→シリンダー２０からなる。
【００７０】
これとともに、前記注射針１０のハブ１２には、貫通孔３１１に連通し、薬液に加わる圧力の作用方向により自然に開閉される一方向弁手段３００が内装されている。
【００７１】
このような一方向弁手段３００は、図５及び図６に示すように、例えば、シリコンのように柔らかな材質の円形の弾性フラップ３２０と係止突部３２１とで構成されてもよい。
【００７２】
前記弾性フラップ３２０は、前記ハブ１２の内径に対応する直径で形成され、その中心が前記ハブ１２の内部に組み立てられて固定され、前記弾性フラップ３２０の外周端の上側には、前記弾性フラップ３２０が上方向に変形することを制限するための係止突部３２１が形成されている。
【００７３】
その結果、薬液の吸引時、前記弾性フラップ３２０の外周端が、図５に示すように、図面において下方に変形されながら一方向弁手段３００が開放されることにより、薬液が吸引流路から注射器のシリンダー２０の内部に充填されることになる。
【００７４】
また、注射流路は、図６に示すように、シリンダー２０→注射針１０のハブ１２→注射針１０の針１１からなる。
【００７５】
このときは、前記一方向弁手段３００において、弾性フラップ３２０の外周端が、図６に示すように、係止突部３２１に係止されて上方向への変形が制限されるので、前記一方向弁手段３００が閉鎖されることにより、吸引流路への薬液の流出を防止することになる。
【００７６】
これにより、薬液の吸引時、薬液は、キャップ１００から一方向弁手段３００を経てシリンダーに吸引され、薬液の注射時、薬液は、シリンダー２０から注射針１０を通じて注射される。
【００７７】
その結果、薬液の吸引をさらに円滑にするとともに、注射を容易に行うことができる。
【００７８】
上記では、貫通孔３１１及び一方向弁手段３００がハブ１２内に位置するものを例示して説明したが、このような貫通孔３１１及び一方向弁手段３００は、注射針１０をシリンダー２０に結合するための別途のコネクター５００またはシリンダー２０の内部に位置してもよく、この場合、貫通孔３１１は、キャップ１００の内部と直接連結される。
【００７９】
また、図７には、弾性バンド３１０と弾性フラップ３２０の形態の一方向弁手段３００が二重で形成された例が示されており、この場合、上述した注射針１０のハブ１２に、変形された貫通孔３１１及び凹溝３１２が形成された第一の一方向弁手段３００が構成され、キャップ１００が結合されたか否かにより、一方向弁手段３００の開閉が調節されてもよく、ハブ１２の内部には、変形された形状の弾性フラップ３２０からなる第二の一方向弁手段３００が構成されていてもよい。
【００８０】
このような第二の一方向弁手段３００の場合、弾性フラップ３２０は、別途の係止突部を必要とせず、薬液に加わる圧力の作用方向により、略傾斜して形成された羽根状のものがハブ１２の内壁と直接接触して開閉が行われる。
【００８１】
このように、２つ以上の一方向弁手段３００を重複して含んで構成してもよい。
【００８２】
次は、図８及び図９を参照して、本発明に係る注射器の実施例１において、ユーザの回転操作により流路の整列の有無が変更されて開閉される一方向弁手段３００が適用される例について説明する。
【００８３】
このときも、吸引流路は、キャップ１００の吸引針１１０→キャップ１００のキャップハブ１２０→一方向弁手段３００→注射針１０のハブ１２→シリンダー２０からなる。
【００８４】
このとき、注射針１０のハブ１２には、前記キャップハブ１２０の内部に連通する貫通孔３１１が略「Ｌ」字状に形成され、注射器のシリンダー２０には、これに対応して開口３３０が形成される。
【００８５】
これにより、シリンダー２０を回転させて、図８に示すように、前記開口３３０と貫通孔３１１が整列されると、薬液の吸引が可能となり、前記シリンダー２０をさらに回転させて整列を解除させると、図９に示すように、前記開口３３０と貫通孔３１１が互いに一列で整列されずに遮断されることにより、薬液の注射時、吸引流路への薬液の逆流を防ぐことになる。
【００８６】
このような一方向弁手段３００もハブ１２内に位置するものを例示して説明したが、このような一方向弁手段３００は、注射針１０をシリンダー２０に結合するための別途のコネクター５００またはシリンダー２０の内部に位置してもよい。
【００８７】
次に、図１０乃至図１２に、本発明に係る注射器の実施例１において、一方向弁手段３００を外装している例が示されている。
【００８８】
これまでは、一方向弁手段３００が、キャップ１００や注射針１０の内部に設けられている例について説明したが、薬液の吸引の際に必要な力が、一方向弁手段３００を通過するときに作用することができる。
【００８９】
すなわち、薬液の吸引をさらに小さな力で行うために、一方向弁手段３００のサイズを大きく設計しなければならなかったが、既存では、このような一方向弁手段３００が内装されており、そのサイズの拡張には制限があった。
【００９０】
したがって、本発明では、図１０乃至図１２に示すように、キャップ１００のキャップハブ１２０に貫通孔３１１を形成し、このような貫通孔３１１から注射器のシリンダー２０に至る外部の吸引流路をさらに設けてもよい。
【００９１】
これにより、一方向弁手段３００のサイズに制限されなくなる。
【００９２】
図１０には、一方向弁手段３００が別途に外装されている例が示されている。
【００９３】
このとき、前記一方向弁手段３００は、上述した例とは異なり、サイズに制限されず、図１１に示した球を内装した逆止め弁等、様々な変更が可能である。
【００９４】
例えば、図１０に示すように、前記貫通孔３１１に連結された流路を選択的に開閉させる球３４０を有する周知の逆止め弁である。
【００９５】
このような球３４０を有する逆止め弁は、遊動可能な前記球３４０の両側に接触シート３４１、３４２が形成されるが、一方のシート３４１には、注射液の流れが可能なように切開されており、他方のシート３４２には、球３４０の外表面と接触して気密を維持するようになっている。
【００９６】
その結果、注射器を基準として負圧が作用するときは、前記球３４０が切開されたシート３４１側に移動して、注射液の流れがその切開部位を通じて行われるが、注射器を基準として正圧が作用するときは、前記球３４０が気密を維持するシート３４２側に移動して、注射液の流れを遮断することになる。
【００９７】
この場合、前記キャップ１００と前記シリンダー２０との間には、流路を形成するための別途の構成が加えられてもよい。
【００９８】
例えば、分岐管をキャップハブ１２０やシリンダー２０に一体で形成した後、柔らかな素材の可撓性チューブで相互連結してもよく、所定の傾斜角を維持するように構成してもよく、相互選択的に連結または分離することができる周知の構成が可能である。
【００９９】
但し、互いの連結を分離する構造では、一方向弁手段３００がシリンダー２０側に連結された状態を維持しなければ、薬液が漏れてしまう恐れがある。
【０１００】
また、図１０には、一方向弁手段３００だけが外装されたものを示しており、また、図１２には、別途のコネクター５００を用いて一方向弁手段３００を外装した例が示されている。
【０１０１】
このとき、このようなコネクター５００をキャップハブ１２０やシリンダー２０に一体で形成してもよく、一方向弁手段３００を、このようなコネクター５００内に内装してもよく、その変更適用に制限がない。
【実施例２】
【０１０２】
実施例２は、吸引流路の入口と注射流路の出口が同軸上に位置せず、吸引流路の出口と注射流路の入口を共有する例である。
【０１０３】
次に、本発明の実施例２は、上述したように、吸引流路の出口と注射流路の入口を共有するのに対して、吸引流路の入口と注射流路の出口が同軸上に位置しない場合である。
【０１０４】
このため、キャップ１００と注射針１０は、それぞれ独立して位置し、開閉手段４００は、キャップ１００から分離されて注射針１０を閉鎖させるように設けられる。
【０１０５】
この場合、図１３に示すように、吸引流路に一方向弁手段３００が設けられ、このとき、前記キャップ１００から前記シリンダー２０に至る吸引流路を柔らかな可撓性チューブで構成してもよいが、前記シリンダー２０から注射針１０とは異なる所定の傾斜角を維持するように構成してもよい。
【０１０６】
これにより、シリンダー２０から互いに異なる角度で分岐された胴体に、一方には吸引流路が形成され、他方には注射流路が形成されてもよい。
【０１０７】
このような構成によると、注射流路が開閉手段４００により閉鎖された状態で、キャップ１００から薬液を吸引することにより、吸引される薬液は、一方向弁手段３００を経てシリンダー２０に充填され、注射される薬液は、開閉手段４００が除去された注射針１０から送り出される。
【０１０８】
図１４には、別途のコネクター５００を加えたものが示されており、同図には直角で分岐されたコネクター５００を例示しているが、それ以外の角度をなして構成してもよく、またはその角度を調整可能に構成することもよく、前記コネクター５００内に一方向弁手段３００を設置することも可能である。
【実施例３】
【０１０９】
実施例３は、吸引流路の入口と注射流路の出口が同軸上に位置し、吸引流路の出口と注射流路の入口を共有しない例である。
【０１１０】
図１５には、吸引流路の入口と注射流路の出口が、上述したように同軸上に位置するのに対して、吸引流路の出口と注射流路の入口は互いに共有しない場合である。
【０１１１】
この場合、一方向弁手段３００が内装されてもよく、例示のように、外装されてもよい。
【０１１２】
このときも、分岐管をキャップハブ１２０やシリンダー２０に一体で形成した後、柔らかな素材の可撓性チューブで相互連結してもよく、所定の傾斜角を維持するように構成してもよく、相互選択的に連結または分離することができる周知の構成が可能である。
【０１１３】
このとき、前記一方向弁手段３００を、軟性の弾性気密材３５０と、これを貫通して挿入または分離可能な尖端の貫通針３５１とで構成してもよい。
【０１１４】
例えば、前記シリンダー２０にシリコン等の弾性気密材３５０を設置し、これを貫通する尖端の貫通針３５１を設置すれば、例えば、バイアルのように、前記貫通針３５１が弾性気密材３５０を貫通して位置する間は、薬液がシリンダー２０に吸引され、前記貫通針３５１を弾性気密材３５０から分離させると、弾性気密材３５０に一時的に形成されていた孔が塞がれながら、シリンダー２０の内部の薬液がこの弾性気密材３５０から流出することがない。
【実施例４】
【０１１５】
実施例４は、吸引流路の入口と注射流路の出口が同軸上に位置せず、吸引流路の出口と注射流路の入口を共有しない例である。
【０１１６】
最後に、実施例４は、図１６に示すように、吸引流路の入口と注射流路の出口が同軸上に位置せず、吸引流路の出口と注射流路の入口も共有しない場合である。
【０１１７】
図１６には、キャップ１００の内部に一方向弁手段３００が内装された例が示されているが、一方向弁手段３００が、キャップ１００からシリンダー２０に至る流路中に形成されてもよく、シリンダー２０内に設けられてもよい。
【０１１８】
また、上述したように、弾性気密材３５０と尖端の貫通針３５１で具現することも可能である。
【０１１９】
その結果、キャップ１００に吸引された薬液は、一方向弁手段３００を経てシリンダー２０に吸引され、シリンダー２０の薬液は、開閉手段４００を除去することにより、注射針１０から体内に注射されることになる。
【０１２０】
この場合、吸引流路と注射流路は、完全に独立して形成される。
【０１２１】
したがって、本発明に係る注射器は、注射針１０を経ないようにキャップ１００を有する吸引流路をさらに形成し、注射針１０を一時的に閉鎖させる開閉手段４００を付加することにより、薬液の吸引を既存のように、注射針１０に限定するものではないので、さらに小さな力で円滑に行うことができるという大きな利点を有する。
【０１２２】
また、必要に応じて、一方向弁手段３００を外装することにより、一方向弁手段３００のサイズに制限がなく、薬液を一層速くてかつ円滑に吸引することができるという卓越した利点を有する。
【０１２３】
上述した実施例は、本発明の技術的思想を具体的に説明するための一例であり、本発明の範囲は、上記した図面や実施例に限定されるものではない。
【符号の説明】
【０１２４】
１０    注射針
１１    針
１２    ハブ
１３    接着材料
２０    シリンダー
３０    プランジャー
１００  キャップ
１１０  吸引針
１２０  キャップハブ
１２２  係止段
３００  一方向弁手段
３１０  弾性バンド
３１１  貫通孔
３１２  凹溝
３２０  弾性フラップ
３２１  係止突部
３３０  開口
３４０  球
３４１、３４２  接触シート
３５０  弾性気密材
３５１  貫通針
４００  開閉手段
４１０  気密空間
４２０  フランジ
５００  コネクター
６００  気密手段
【図１】
0006638066.tif 000002
【図２】
0006638066.tif 000003
【図３】
0006638066.tif 000004
【図４】
0006638066.tif 000005
【図５】
0006638066.tif 000006
【図６】
0006638066.tif 000007
【図７】
0006638066.tif 000008
【図８】
0006638066.tif 000009
【図９】
0006638066.tif 000010
【図１０】
0006638066.tif 000011
【図１１】
0006638066.tif 000012
【図１２】
0006638066.tif 000013
【図１３】
0006638066.tif 000014
【図１４】
0006638066.tif 000015
【図１５】
0006638066.tif 000016
【図１６】
0006638066.tif 000017